(57)【特許請求の範囲】
【請求項１】
少なくとも記憶手段と演算手段を含むコンピュータにより歯牙欠損部に配置する歯冠を設計する方法であって、
前記記憶手段が、
患者の上顎歯列及び下顎歯列の３次元画像を取得する取得ステップと、
前記演算手段が、
前記３次元画像の上顎歯列または下顎歯列の歯牙欠損部に、歯冠の３次元画像を配置する歯冠像配置ステップと、
前記３次元画像の上顎歯列と下顎歯列とを、３次元Ｘ、Ｙ，Ｚ座標系における両者がＺ軸方向において接触しない初期位置に位置させる歯列位置設定ステップと、
前記初期位置を基点として、前記３次元画像の上顎歯列と下顎歯列との一方の歯列の姿勢を変化させる姿勢変化ステップと、
姿勢を変化させた前記一方の歯列を、他方の歯列に接触するまでＺ軸方向に移動させる移動ステップと、
両歯列が接触した位置における、前記一方の歯列の姿勢に関する３次元データを前記記憶手段に記憶させる姿勢データ記憶ステップと、
前記姿勢変化ステップ、前記移動ステップ、及び前記記憶ステップを、前記姿勢変化ステップで前記一方の歯列の姿勢をそれまでとは異なる姿勢に変化させて、繰り返し実行する繰り返しステップと、
前記繰り返しステップの実行後、ＸＹ平面内の複数の位置のそれぞれにおいて、前記記憶手段に記憶されている複数の前記一方の歯列の姿勢に関する３次元データがそれぞれ示すＺ軸方向の位置のうち最も前記他方の歯列の近くの位置となる３次元データにおける３次元座標データを取得し、取得した複数の３次元座標データに基づき包絡曲面データを生成する包絡曲面データ生成ステップと、
生成された前記包絡曲面データに基づいて前記歯冠の３次元画像を変形させる変形ステップと、を含む
歯冠設計方法。
【請求項２】
さらに、中心咬合位を求めるステップを含み、
前記中心咬合位を求めるステップは、
前記３次元画像の上顎歯列と下顎歯列とを、３次元Ｘ、Ｙ，Ｚ座標系における両者がＺ軸方向において接触しない初期位置に位置させる歯列位置設定ステップと、
前記初期位置を基点として、前記３次元画像の上顎歯列と下顎歯列との一方の歯列の姿勢を変化させるステップと、
姿勢を変化させた前記一方の歯列を、他方の歯列に接触するまでＺ軸方向に移動させる移動ステップと、
前記一方の歯列の咬合面に複数の評価点を設定する評価点設定ステップと、
接触した状態における前記一方の歯列の咬合面と他方の歯列の咬合面との間のＺ軸方向の距離を前記複数の評価点位置において求め、さらにその総和を求める総和算出ステップと、
求められたＺ軸方向の距離の総和を前記記憶手段に記憶させる総和記憶ステップと、
前記姿勢変化ステップ、前記移動ステップ、前記総和算出ステップ及び前記総和記憶ステップを、前記姿勢変化ステップで前記一方の歯列の姿勢をそれまでとは異なる姿勢に変化させて、繰り返し実行する繰り返しステップと、
前記繰り返しステップの実行後、前記記憶手段に記憶されている複数のＺ軸方向の距離の総和が最小になる姿勢を前記中心咬合位と決定する中心咬合位決定ステップと、を含み、
前記歯列位置設定ステップは、
前記中心咬合位を求めるステップで求められた中心咬合位に対して、Ｚ軸方向において、上顎歯列と下顎歯列とが接触しない離間した位置を前記初期位置として用いる
請求項１に記載の歯冠設計方法。
【請求項３】
前記姿勢変化ステップは、
前記３次元画像の一方の歯列を、Ｘ軸、Ｙ軸の少なくとも一つの軸の方向に第１所定距離範囲内で第２所定距離ピッチで平行移動させ、及び／または、Ｘ軸、Ｙ軸、Ｚ軸の少なくとも一つの軸のまわりで第１所定角度範囲内で第２所定角度ピッチで回転させる
請求項１または請求項２に記載の歯冠設計方法。
【請求項４】
さらに、前記歯冠の３次元画像に、歯冠形状の変化を可能とする制御点を設定する制御点設定ステップを含み、
前記変形ステップは、
前記包絡曲面と前記設定された制御点との位置関係が所定の条件を満たすように、前記歯冠の３次元画像を変形させる
請求項１から請求項３のいずれか１項に記載の歯冠設計方法。
【請求項５】
さらに、前記包絡曲面と変形後の歯冠との隙間の大きさを調整するステップを含む、
請求項４に記載の歯冠設計方法。
【請求項６】
前記配置ステップは、
前記記憶手段に予め記憶された、複数の上下歯列の標準歯冠形状のデータから選択された３次元歯冠像を、前記３次元画像の歯牙欠損部の所定の位置に配置するステップを含む
請求項１から請求項５のいずれか１項に記載の歯冠設計方法。
【請求項７】
前記上顎歯列及び下顎歯列の３次元画像は、患者の口腔領域の３次元口腔領域像の一部が前記患者の歯列模型の３次元歯列模型像で置き換えられた像である
請求項１から請求項６のいずれか１項に記載の歯冠設計方法。
【請求項８】
前記コンピュータは、さらに、入力手段を含み、
前記取得ステップは、
マーカーを有する患者の口腔領域の３次元口腔領域像を、前記入力手段を介してコンピュータに入力するステップと、
マーカーを有する患者の歯列模型の３次元歯列模型像を、前記入力手段を介してコンピュータに入力するステップと、
前記３次元口腔領域像のマーカーと前記３次元歯列模型像のマーカーとを一致させた状態で、３次元口腔領域像の一部を前記３次元歯列模型像で置き換えて前記上顎歯列及び下顎歯列の３次元画像を作製するステップと、
前記上顎歯列及び下顎歯列の３次元画像を記憶するステップと、を含む
請求項１から請求項７のいずれか１項に記載の歯冠設計方法。
【請求項９】
コンピュータを、請求項１から請求項８のいずれか１項に記載の歯冠設計方法を実行する手段として機能させる
歯冠設計用プログラム。
【請求項１０】
請求項１〜８のいずれか１項に記載の歯冠設計方法により得られた歯冠の３次元画像を用いてＣＡＭ装置で歯冠を作製するステップ、を含む
歯冠作製方法。
【請求項１１】
少なくとも記憶手段と演算手段を含み、歯牙欠損部に配置する歯冠を設計する装置であって、
前記記憶手段が、
患者の上顎歯列及び下顎歯列の３次元画像を取得し、
前記演算手段が、
前記３次元画像の上顎歯列または下顎歯列の歯牙欠損部に、歯冠の３次元画像を配置する歯冠像配置手段と、
前記３次元画像の上顎歯列と下顎歯列とを、３次元Ｘ、Ｙ，Ｚ座標系における両者がＺ軸方向において接触しない初期位置に位置させる歯列位置設定手段と、
前記初期位置を基点として、前記３次元画像の上顎歯列と下顎歯列との一方の歯列の姿勢を変化させる姿勢変化手段と、
姿勢を変化させた前記一方の歯列を、他方の歯列に接触するまでＺ軸方向に移動させる移動手段と、
両歯列が接触した位置における、前記一方の歯列の姿勢に関する３次元データを前記記憶手段に記憶させる姿勢データ記憶手段と、
前記姿勢変化手段、前記移動手段、及び前記記憶手段による処理を、前記姿勢変化手段で前記一方の歯列の姿勢をそれまでとは異なる姿勢に変化させて、繰り返し実行させる繰り返し手段と、
前記繰り返し手段による処理の実行後、ＸＹ平面内の複数の位置のそれぞれにおいて、前記記憶手段に記憶されている複数の前記一方の歯列の姿勢に関する３次元データがそれぞれ示すＺ軸方向の位置のうち最も前記他方の歯列の近くの位置となる３次元データにおける３次元座標データを取得し、取得した複数の３次元座標データに基づき包絡曲面データを生成する包絡曲面データ生成手段と、
生成された前記包絡曲面データに基づいて前記歯冠の３次元画像を変形させる変形手段と、を含む
歯冠設計装置。
【請求項１２】
請求項１１に記載の歯冠設計装置と、
当該歯冠設計装置により得られた歯冠の３次元画像を用いて歯冠を作製するＣＡＭ装置とを、含む
歯冠作製装置。
【発明の詳細な説明】
【技術分野】
【０００１】
本発明は、インプラント治療および一般の補綴治療等に用いる歯冠の設計方法、そのような歯冠に対する設計用プログラム、設計装置、作製方法、および作製装置に関する。
【背景技術】
【０００２】
従来の歯冠修復法では、患者の歯列石膏模型を、図２５に示すような平均値咬合器（または単に咬合器）と呼ばれる患者の平均的な顎関節などの解剖学的要素の大きさとを想定した器具に装着し、平均的な顎運動を想定して歯冠の形状が決定されている。
【０００３】
具体的には、口腔内印象に石膏を注入して作製した石膏上下歯列模型を、咬合器に装着する。歯列模型の歯牙欠損部には、歯科技工士が仮想的に歯冠をワックスで作製する。そして咬合器を蝶番回転運動および前方および側方運動させ、上下の歯牙石膏模型を噛み合わせて、ワックスの歯冠形状を修正する。こうして得られたワックスの歯冠原型を用い、ロストワックス鋳造法により修復歯冠を作製する。作製された歯冠は咬合器上で咬合調整されたのち歯科医師に提供される。歯科医師は患者の口腔内に修復歯冠を固定し患者に実際の咬合をさせるが、このさい再度歯冠を削る咬合調整を必要とされる場合が殆どである。
【０００４】
しかしながら、従来の歯冠修復法で一般に用いられる咬合器は、患者の顎の形態などの解剖学的要素を平均化したものであり、患者固有の顎運動を正確に再現することは困難である。このため、作製された修復歯冠は装着後の咬合調整が不可欠となり、このことが歯科修復物による治療において解決すべき大きな課題となっていた。
【０００５】
即ち、実際の咬合状態を見ながら歯冠を削って行う咬合調整は、非常に長時間にわたる場合もあり、患者および歯科医師に身体的、時間的、労力的な負担を強いるという問題がある。これらの問題は、咬合器が実際の患者の顎の大きさや運動を反映できていないことも一因である。
【０００６】
特に、インプラント治療で形成された歯牙では、天然歯根のように衝撃を緩和する歯根膜が存在しないため、インプラント上に装着する歯冠は、歯冠の咬合面に過剰な力、特に横方向の力がかからないように、患者固有の咬合状態を考慮することが必要である。
【０００７】
このような課題に対処するため、修復歯冠の設計方法としてＦＧＰ（Functionally Generated Path）法が開発された。これは患者固有の咬合運動を考慮した有効な方法であったが、Occlusal tableの製作など煩雑な工程が必要であり普及しなかった。
【０００８】
ＦＧＰ（Functionally Generated Path）法の問題に対処する技術として、特許文献１に記載の技術がある。特許文献１は、最近のインプラント治療では患者の顎骨の３次元像が必ず撮影される点に着目し、患者の顎骨の３次元形状データをコンピュータによって運動させて、インプラント修復歯の対合歯のＦＧＶＰ（Functionally Generated Virtual Path）を求め、これによってインプラント歯冠修復物の形状設計を行なう。
【先行技術文献】
【特許文献】
【０００９】
【特許文献１】特開２０１０−１７４６７号公報
【非特許文献】
【００１０】
【非特許文献１】２００２年月刊歯科技工別冊「目で見る咬合の基礎知識」、医  歯薬出版株式会社（２００２年８月２５日発行）
【発明の概要】
【発明が解決しようとする課題】
【００１１】
特許文献１の技術では、ＦＧＶＰを求める際、上下顎関節及び上顎歯列または下顎歯列の並進運動や回転運動等による滑走運動における複雑な動きをシミュレーションする必要があり、歯冠設計装置の構築等に多大な労力を要する。
【００１２】
本発明は、インプラント治療および一般の補綴治療等における歯牙欠損部に配置する歯冠の設計や作製を容易化することができる技術を提供することを目的とする。
【課題を解決するための手段】
【００１３】
本発明では、インプラント治療および一般の補綴治療等における歯冠設計方法が提供される。
本発明の歯冠設計方法は、少なくとも記憶手段と演算手段を含むコンピュータにより歯牙欠損部に配置する歯冠を設計する方法であって、
記憶手段が、
患者の上顎歯列及び下顎歯列の３次元画像を取得する取得ステップと、
演算手段が、
上顎歯列または下顎歯列、３次元画像の歯牙欠損部に、歯冠の３次元画像を配置する歯冠像配置ステップと、
３次元画像の上顎歯列と下顎歯列とを、３次元Ｘ、Ｙ，Ｚ座標系における両者がＺ軸方向において接触しない初期位置に位置させる歯列位置設定ステップと、
初期位置を基点として、３次元画像の上顎歯列と下顎歯列との一方の歯列の姿勢を変化させる姿勢変化ステップと、
姿勢を変化させた一方の歯列を、他方の歯列に接触するまでＺ軸方向に移動させる移動ステップと、
両歯列が接触した位置における、一方の歯列の姿勢に関するデータを記憶手段に記憶させる姿勢データ記憶ステップと、
姿勢変化ステップ、移動ステップ、及び記憶ステップを、姿勢変化ステップで一方の歯列の姿勢をそれまでとは異なる姿勢に変化させて、繰り返し実行する繰り返しステップと、
繰り返しステップの実行後、ＸＹ平面内の複数の位置のそれぞれにおいて、記憶部に記憶されている複数の一方の歯列の姿勢に関する３次元データがそれぞれ示すＺ軸方向の位置のうち最も他方の歯列の近くの位置となる３次元データにおける３次元座標データを取得し、取得した複数の３次元座標データに基づき包絡曲面データを生成する包絡曲面データ生成ステップと、
生成された包絡曲面データに基づいて歯冠の３次元画像を変形させる変形ステップと、を含む。
【００１４】
なお、上記取得ステップは、ＣＴもしくは光計測した患者の上下顎関節を含む顎骨および上下歯列３次元画像を取得して行うことも可能である。
【００１５】
また、本発明では、歯冠設計用プログラムが提供される。
本発明の歯冠設計用プログラムは、コンピュータを、歯冠設計方法を実行する手段として機能させる。
【００１６】
また、本発明では、歯冠作製方法が提供される。
本発明の歯冠作製方法は、歯冠設計方法により得られた３次元歯冠像を用いてＣＡＭ装置で歯冠を作製するステップ、を含む。
【００１７】
また、本発明では、歯冠設計装置が提供される。
本発明の歯冠設計装置は、少なくとも記憶手段と演算手段を含み、歯牙欠損部に配置する歯冠を設計する装置であって、
記憶手段が、
患者の上顎歯列及び下顎歯列の３次元画像を取得し、
演算手段が、
３次元画像の上顎歯列または下顎歯列の歯牙欠損部に、歯冠の３次元画像を配置する歯冠像配置手段と、
３次元画像の上顎歯列と下顎歯列とを、３次元Ｘ、Ｙ，Ｚ座標系における両者がＺ軸方向において接触しない初期位置に位置させる歯列位置設定手段と、
初期位置を基点として、３次元画像の上顎歯列と下顎歯列との一方の歯列の姿勢を変化させる姿勢変化手段と、
姿勢を変化させた一方の歯列を、他方の歯列に接触するまでＺ軸方向に移動させる移動手段と、
両歯列が接触した位置における、一方の歯列の姿勢に関する３次元データを記憶手段に記憶させる姿勢データ記憶手段と、
姿勢変化手段、移動手段、及び記憶手段による処理を、姿勢変化手段で一方の歯列の姿勢をそれまでとは異なる姿勢に変化させて、繰り返し実行させる繰り返し手段と、
繰り返し手段による処理の実行後、ＸＹ平面内の複数の位置のそれぞれにおいて、記憶手段に記憶されている複数の一方の歯列の姿勢に関する３次元データがそれぞれ示すＺ軸方向の位置のうち最も他方の歯列の近くの位置となる３次元データにおける３次元座標データを取得し、取得した複数の３次元座標データに基づき包絡曲面データを生成する包絡曲面データ生成手段と、
生成された包絡曲面データに基づいて歯冠の３次元画像を変形させる変形手段と、を含む。
【００１８】
上記記憶手段はＣＴもしくは光計測した患者の上下顎関節を含む顎骨および上下歯列３次元形状画像を取得してもよい。
【００１９】
また、本発明では、歯冠作製装置が提供される。
本発明の歯冠作製装置は、歯冠設計装置と、当該歯冠設計装置により得られた３次元歯冠像を用いて歯冠を作製するＣＡＭ装置とを、含む。
【発明の効果】
【００２０】
本発明によれば、患者固有のデータを元にＦＧＶＰを求め、このＦＧＶＰに基づいて歯冠設計を行うので、患者固有の咀嚼咬合運動に応じたインプラント治療用の歯冠の作製が可能となる。これにより、インプラント上に装着した歯冠の咬合調整が殆ど不要となり、インプラント治療に要する時間を短縮でき、治療時における患者の苦痛と経済的負担を大幅に軽減できる。
【００２１】
特に、本発明によれば、姿勢変化ステップ、移動ステップ、及び記憶ステップを、姿勢変化ステップで一方の歯列の姿勢をそれまでとは異なる姿勢に変化させて、繰り返し実行する。繰り返しの実行後、ＸＹ平面内の複数の位置のそれぞれにおいて、記憶部に記憶されている複数の一方の歯列の姿勢に関する３次元データがそれぞれ示すＺ軸方向の位置のうち最も他方の歯列の近くの位置となる３次元データにおける３次元座標データを取得し、取得した複数の３次元座標データに基づき包絡曲面データを生成する。
【００２２】
このように、本発明によれば、ＦＧＶＰを求める際、３次元画像の上顎歯列または下顎歯列の並進運動や回転運動等による滑走運動における複雑な動きをシミュレーションする必要がなく、歯冠の設計を容易化することができる。
【図面の簡単な説明】
【００２３】
【図１Ａ】上顎の歯列模型である。
【図１Ｂ】下顎の歯列模型である。
【図２】ＣＴ撮影用テンプレートである。
【図３】歯列模型のＣＴ撮影の状態である。
【図４Ａ】患者のＣＴ撮影の状態である。
【図４Ｂ】患者の３Ｄ−ＣＴ像である。
【図５Ａ】３次元合成像（側面）である。
【図５Ｂ】石膏模型の３Ｄ−模型像である。
【図５Ｃ】３次元合成像（前面）である。
【図６Ａ】本発明にかかる歯冠設計方法および歯冠製造方法に用いたコンピュータシステムのブロック図である。
【図６Ｂ】本発明にかかる歯冠設計工程のフローチャートである。
【図７Ａ】３次元合成像の下顎部の拡大写真である。
【図７Ｂ】標準歯冠を支持するアバットメントである。
【図７Ｃ】アバットメント上に配置された標準歯冠である。
【図７Ｄ】アバットメント上に標準歯冠を配置した状態の断面である。
【図８Ａ】標準歯冠の一例である。
【図８Ｂ】標準歯冠の一例である。
【図８Ｃ】標準歯冠の一例である。
【図９】従来のＦＧＰ法を用いた咬合面の動きの記録の一例である。
【図１０Ａ】ＦＶＧＰ法の基本原理を示す図である。
【図１０Ｂ】評価点の設定の一例を示す図である。
【図１０Ｃ】中心咬合位探索の説明図である。（ａ）は中心咬合位探索１回目を示す図である。（ｂ）は中心咬合位探索２回目を示す図である。
【図１０Ｄ】中心咬合位探索の結果を示す図である。（ａ）は上下歯列模型の咬合面を示す。（ｂ）上下模型歯列模型を中心咬合位で咬合させた状態を示す図である。
【図１１Ａ】（ａ）は下顎の歯列で生成したＦＧＶＰ曲面を示す図である。（ｂ）は、ＦＧＶＰ曲面と上顎との関係を示す図である。
【図１１Ｂ】標準歯冠に設定された制御点を示す図である。
【図１１Ｃ】ＦＧＶＰによる歯冠の変形を示す図である。（ａ）は変形前の歯冠像、（ｂ）は変形後の歯冠像、（ｃ）は変形後の歯冠の任意断面を示す図である。
【図１１Ｄ】ＦＧＶＰによる歯冠の変形を示す図である。（ａ）は変形前の歯冠像、（ｂ）は変形後の歯冠像、（ｃ）は変形前の歯冠像と変形後の歯冠像を重ねた図である。
【図１２】ＦＧＶＰ法に用いる３Ｄ−ＣＴ像の範囲の一例である。
【図１３】下顎に固定されたインプラントおよびアバットメントのシミュレーション像である。
【図１４】下顎に配置されたサージカルガイドのシミュレーション像である。
【図１５】下顎部にサージカルガイドを配置した状態である。
【図１６】ハプティックスデバイスの概略図である。
【図１７】コンピュータ上で設計したサージカルガイドの形状データである。
【図１８】ＣＡＭ装置の外観である。
【図１９】チタン製ドリルガイド付きのサージカルガイドの全体写真である。
【図２０】サージカルガイドを下顎の上（右奥歯の位置）に装着した状態である。
【図２１】患者の下顎にサージカルガイドを被せた状態である。
【図２２】患者の下顎にインプラントおよびアバットメントを固定した状態である。
【図２３】下顎に固定されたインプラント上に、アバットメントを介して歯冠が固定された状態の概略図である。
【図２４】作製した歯冠を患者の口腔内に固定した状態である。
【図２５】平均値咬合器の全体図である。
【発明を実施するための形態】
【００２４】
本発明の実施の形態に歯冠作製方法を用いたインプラント治療方法について説明する。かかる治療方法は、以下の工程１〜１１を含む。
【００２５】
工程１〜４では、患者の顎骨の３Ｄ−ＣＴ像（３次元口腔領域像）の一部を３Ｄ−模型像（３次元歯列模型像）で置き換えて、３次元合成像を取得する。
【００２６】
（工程１）
患者の口腔の印象を樹脂で写し取った型を形成する。次に、型に石膏を注入して、図１Ａ、１Ｂに示すような患者の歯列の石膏模型を作製する。図１Ａは上顎の歯列、図１Ｂは下顎の歯列である。かかる石膏模型の作製方法には、従来から歯科治療に用いられていた方法を使用できる。
【００２７】
（工程２）
図２に示すように、患者の顎骨のＸ線ＣＴ（Computed Tomography）撮影に用いるＣＴ撮影用テンプレート１０を準備する。テンプレート１０は、歯列バイト部１とマーカー部２とからなる。
【００２８】
歯列バイト部１は、それぞれの患者の歯列に対応した形状となっている。また、歯列バイト部１は、顎骨や歯列模型の撮影に用いられるＣＴ値では撮影されない材料から形成される。このような材料としては、例えば、ポリメチルメタクリレート（PMMA）のような高分子材料（即時重合レジン）、シリコーン、ウレタン、チオコールのようなゴム系材料がある。
【００２９】
一方、マーカー部２は、石膏や硫酸バリウム等のＸ線造影剤で形成された板状体からなる。マーカー部２の表面には、例えば、直径が４〜５ｍｍの円状の凸部（又は凹部）が部分的に設けられている。後述する位置合わせの工程で、かかる凸部が重なるように位置合わせすることにより、位置合わせの精度が向上する。
【００３０】
図３は、患者の歯列の石膏模型２０にテンプレート１０を噛ました状態であり、かかる状態で外形データを取得し、３Ｄ−模型像（３次元歯列模型像）を得る。歯列模型の形状は、接触式３次元デジタイザ（例えば、ドイツＧＯＭ社製、商品名：ＡＴＯＳ）やレーザ光測定装置、接触式の測定装置等を用いて取得することができる。また、歯列模型の形状は、ＣＴ撮影像から形成しても構わない。口腔内に光計測プローブを挿入し歯列３次元形状を直接計測する装置が市販されているのでそれを用いてもかまわない。この場合、石膏模型を作製せず歯列３次元形状が取得できる。
【００３１】
（工程３）
図４Ａに示すように、ＣＴ撮影用テンプレート１０を患者３０に装着する。上述のように、歯列バイト部はそれぞれの患者の歯列に対応した形状となっているため、歯列バイト部を患者が噛むことによりテンプレートが装着される。図４Ｂは、かかる状態で撮影された、患者の顎骨の３Ｄ−ＣＴ像（３次元口腔領域像）である。  
【００３２】
（工程４）
図５Ａ（側面図）に示すように、テンプレートのマーカー部２を基準として、患者の顎骨の３Ｄ−ＣＴ像に石膏模型の３Ｄ−模型像を重ねて、患者の歯列を石膏模型に置き換えた３Ｄ−ＣＴ像（３次元合成像）を得る。具体的には、患者の顎骨の３Ｄ−ＣＴ像（図４Ｂ）のマーカー部２と、石膏模型の３Ｄ−模型像（図３）のマーカー部２が重なる状態で、３Ｄ−ＣＴ像の一部を３Ｄ−模型像（３次元歯列模型像）で置き換える。マーカー部２の凸部（又は凹部）が重なるようにすることで、重ね合わせの精度が向上する。
【００３３】
図５Ｂは、歯列部の形状を石膏模型から接触式３次元デジタイザで高精度計測して得られた３Ｄ−模型像であり、図５Ｃは、患者の歯列を、図５Ｂの石膏模型の３Ｄ−模型像で置き換えた３Ｄ−ＣＴ像（３次元合成像）である。図５Ａ〜図５Ｃからわかるように、歯列模型の３Ｄ−模型像は、患者の歯列の３Ｄ−ＣＴ像に比較して画像が明瞭であるため、このような置き換えにより、歯列部分への歯冠の形成が高精度で行うことができる。
【００３４】
工程５〜７では、上述の工程１〜４により得られた３Ｄ−ＣＴ像（３次元合成像）を基に、患者に適合する歯冠をコンピュータ（後述する）上で設計する。図６Ａは、歯冠設計工程５〜７を実行するためのコンピュータシステムの構成を示すブロック図である。
【００３５】
コンピュータシステム１００は、入力部１０１、出力部１０２、記憶部１０３、表示分１０４、及び演算部１０５を有する。
【００３６】
入力部１０１は、３Ｄ−ＣＴ像等を入力するためのインタフェースである。
【００３７】
出力部１０２は、演算部１０５の演算結果をコンピュータシステム１００の外部に出力するためのインタフェースである。本実施形態では、出力部１０２の出力にＣＡＭ装置２００が接続されており、演算部１０５で求められた歯冠設計データが出力部２００を介してＣＡＭ装置２００に出力される。
【００３８】
記憶部１０３は、歯冠設計プログラム、標準歯列の形状データ等、歯冠設計を行うために必要なデータ等を予め記憶している。歯冠設計プログラムは、コンピュータシステム１００を、歯冠設計装置として機能させる。また、記憶部１０３は、入力部１０１を介して入力された３Ｄ−ＣＴ像等を記憶する。また、記憶部１０３は、演算部１０５が演算処理を行う際の一時データを一時的に記憶する。
【００３９】
演算部１０５は、歯冠設計を行うためのプログラムを実行する。演算部１０５は、入力部１０１を介して入力された３Ｄ−ＣＴ像、標準歯列の形状データ等を用いて歯冠設計のための演算を行う。また、演算部１０５は、演算結果等を示す画像データを表示部１０５に出力する。
【００４０】
表示部１０４は、演算部１０５からの画像データに基づく画像を表示する。
【００４１】
ＣＡＭ装置２００は、演算部１０５から出力部２００を介して入力された歯冠設計データに基づいて、歯冠の加工を行う。コンピュータシステム１００とＣＡＭ装置２００とで歯冠作製装置を構成する。
【００４２】
図６Ｂは、コンピュータシステム１００によって実行される歯冠設計工程５〜７のフローチャートである。
【００４３】
（工程５）
工程４で得られた３Ｄ−ＣＴ像（３次元合成像）を取得した後（Ｓ１）、図７Ａに示すように、かかる３Ｄ−ＣＴ像を用いて、インプラント治療が必要な歯牙の欠損した部分（欠損歯牙）に対してコンピュータ上で歯冠の排列のシミュレーションを行う（Ｓ２）。例えば、排列のためのソフトウェアとしては”ＢｉｏＮａ”（商品名）がある。
【００４４】
具体的には、予めコンピュータの記憶部１０３に格納してある標準歯冠の３Ｄ像のデータベースを用いて、患者の歯牙の欠損部に、データベースから選択した標準歯冠を排列する。標準歯冠の排列は、３Ｄ−ＣＴ像の上下歯牙を噛み合わせた状態で、歯牙欠損部の、対合歯と噛み合う位置（咬頭が窩と接触する位置）に標準歯冠を配置して行う。歯牙欠損部の前後に残存歯牙がある場合は、これらとも接するように配置される。標準歯冠の排列工程において、標準歯冠の画像を例えば縦方向や横方向に、線形又は非線形に拡大／縮小しても良い。このように、標準歯冠を患者の３Ｄ−ＣＴ像に排列させたものが、３次元歯冠像となる。なお、標準歯冠の３Ｄ像のデータは、外部記憶媒体に記憶され、ネットワーク等を介して、あるいは外部記憶媒体を直接入力部１０１に接続することにより、入力されるようにしてもよい。
【００４５】
図７Ｂ〜図７Ｄは、標準歯冠を患者の３Ｄ−ＣＴ像に排列させた図である。図７Ｂには標準歯冠を支持するアバットメント、図７Ｃにはアバットメント上に配置された標準歯冠、図７Ｄには、アバットメント上に標準歯冠を配置した状態の断面をそれぞれ示す。
【００４６】
図８Ａ〜図８Ｃは標準歯冠の一例であり、上下歯列の全ての歯冠形状データが揃っている。歯冠形状は、患者の年齢や性別等により異なるため、年齢、性別、人種等毎に複数の標準歯冠形状がデータベース化されていることが好ましい。
【００４７】
なお、残存歯牙が少ない場合は、上下顎骨の解剖学的な歯牙排列を考慮して、標準歯冠を配置する。例えば、下顎第１小臼歯から最後の臼歯の頬側咬頭頂の位置が「スピーの湾曲」と呼ばれる湾曲に沿うような排列にしても良い。また、左右の同名臼歯については、「ウィルソン湾曲」を考慮しても良い。
【００４８】
例えば、図７Ａの３Ｄ−ＣＴ像では、患者の右側の最奥歯１つと、左側の最奥歯から４つが、画像合成された標準歯冠である。標準歯冠の位置等は、残存した歯牙や、上顎の歯牙の位置から決定される。
【００４９】
ここで、咬合器を用いないで修復歯冠の咬合面形態を決定する方法として、従来から、ＦＧＰ（Functionally Generated Path）法が用いられる。ＦＧＰ法では、補綴歯の対合歯の機能的な滑走運動時における咬合面の動きを、図９に示すように、患者の口腔内に配置したワックスまたは即時重合レジンに記録する。そして、このワックスまたはレジンを模型にして、機能的に調和した補綴物の咬合面を作る。この方法によれば、患者本人の顎骨の運動により形成される運動パスを用いて咬合面を形成するため、それぞれの患者に適合した咬合面を高精度で作製できる。
【００５０】
しかし、ＦＧＰ法では、咬合テーブルの製作など煩雑な工程が必要である。
【００５１】
この問題に対応するため、本発明者は，コンピュータによるデジタル処理でＦＧＰ を仮想的に構築する新たなＦＧＶＰ （Functionally Generated Virtual Path） 法を開発した。このＦＧＶＰ法では、患者固有の咬合運動をシミュレーションし，そのデータを用いてインプラント上部歯冠咬合面形態を自動的に変形する。本実施形態のＦＧＶＰ法では、図１０Ａに示すように、対合歯列の位置と傾きを変化させた状態で、Ｚ軸方向において近づけて接触させることによりＦＧＶＰ曲面を生成し、それによって上部歯冠咬合面形態を自動的に変形する。
【００５２】
このソフトウェアは，修復対象歯列に対しその対合歯列の位置と傾きを６軸（平行移動と回転）で多数変化させてＺ軸方向から近づけて接触させる。この動作において生じた接触状態を選択および統合し，中心咬合位とＦＧＰ曲面を得る。このＣＡＤデータを用いてＣＡＭによって製作されたインプラント上部歯冠においては、患者の口腔内での調整を非常に少なくすることが可能になる。またこの方法は、通常の支台歯形成した歯冠の製作にも応用することができ、高い汎用性を得ることができる。以下、詳しく説明する。
【００５３】
（工程６Ａ）
上下の歯列の中心咬合位を求める（Ｓ３）。中心咬合位とは、一般に、上顎と下顎の歯列が最も多くの部位で接触し、安定して噛み合う状態での下顎位のことである。なお、本実施形態では、ＦＧＶＰを求める際、修復歯列位置を固定し、これに対合する歯列の位置を変更する。そのため、本実施形態では、中心咬合位とは、上顎と下顎の歯列が最も多くの部位で接触し、安定して噛み合う状態での修復歯列の位置のことである。修復歯列は、上顎歯列と下顎歯列のいずれであってもよい。
【００５４】
まず、図１０Ｂに示すように、上顎臼歯４〜７（Ｔ４〜Ｔ７）の咬合面に評価点領域を自動でまたはマウスを利用して設定する（評価点設定ステップ）。評価点は、例えば２５０μｍ間隔で８００〜１０００点程度設ける。本実施形態では評価点領域を上顎臼歯４〜７に設けているが、これは一例であり、修復すべき歯冠に応じて設定すればよい。
【００５５】
まず、３次元画像の下顎歯列（修復歯列）と上顎歯列（対合歯列）とを、３次元Ｘ、Ｙ，Ｚ座標系における両者がＺ軸方向において接触しない初期位置に位置させる（歯列位置設定ステップ）。
【００５６】
次に、初期位置を基点として、３次元画像の上顎歯列の姿勢を変化させる（姿勢変化ステップ）。
【００５７】
次に、上顎歯列を初期位置からＺ軸方向に下顎歯列に接触するまで移動させる（移動ステップ）。
【００５８】
上顎歯列が下顎歯列と接触したら、接触した状態における上顎歯列の咬合面と下顎歯列の咬合面との間のＺ軸方向の距離を前記複数の評価点位置において求め、さらにその総和を計算する（総和算出ステップ）。
【００５９】
次に、求めた総和を記憶部１０３に記憶させる（総和記憶ステップ）。
【００６０】
これらの処理（姿勢変化ステップ、前記移動ステップ、総和算出ステップ及び記憶ステップ）を、姿勢変化ステップで上顎歯列の姿勢をそれまでとは異なる姿勢に変化させて、繰り返し実行する（繰り返しステップ）。例えば、図１０Ｃ（ａ）に示すように、初期位置（Ｅ）を中心として、Ｘ方向及びＹ方向に±５ｍｍ幅で５ｍｍピッチでＡ〜Ｉまでの９通り平行移動させ、さらにそれぞれに対し、Ｘ軸，Ｙ軸，Ｚ軸の各軸の周りに角度±１０°幅で１０°ピッチの軸毎に３通り回転させ、計３の５乗で２４３通り、上顎歯列の姿勢を変化させ、上記計算を繰り返し行う。
【００６１】
繰り返し計算を行った後、記憶部１０３に記憶されている複数のＺ軸方向の距離の総和のうち、評価点間距離の総和が最小となる位置を求める。具体的には、２４３通りの評価点間距離の総和のうち、評価点間距離の総和が最小となる位置を求める（第１回目の探索）。
【００６２】
このように求めた結果、図１０Ｃ（ａ）のＡの位置において評価点間距離の総和が最小とするとＡＢＥＤの領域に中心咬合位が存在すると考えられる。そこで、次に、図１０Ｃ（ｂ）に示すように、ＡＥの中点Ｅ′を中心に、間隔とピッチをそれぞれ上記間隔及びピッチの６０％に減少させて、第１回目の探索と同様の探索を行うことにより、評価点間距離の総和が最小となる位置を求める（第２回目の探索）。具体的には、Ｘ方向及びＹ方向に±３ｍｍ幅で３ｍｍピッチでＡ′〜Ｉ′までの９通り平行移動させ、さらにそれぞれに対し、Ｘ軸、Ｙ軸、Ｚ軸の各軸の周りに角度±６°幅で６°ピッチの軸毎に３通り回転させ、計３の５乗で２４３通り、対合歯列の姿勢を変化させ、上記計算を繰り返し行う。そして、この２４３通りのうち、評価点間距離の総和が最小となる位置を求める。
【００６３】
以後、第１、第２の探索と同様の処理を、軸方向の間隔及びピッチと軸周りの間隔及びピッチを、前回の探索における軸方向の間隔及びピッチと軸周りの間隔及びピッチに対してそれぞれ６０％に減少させて実行する。例えば、第１回目の探索、第２回目の探索を含めて、合計９回、つまり第９回目の探索を行う。そして、９回の探索の結果求められた、評価点間距離の総和が最小となる位置を中心咬合位とする（中心咬合位決定ステップ）。９回の探索を行うと、演算回数は３の５乗×９＝２１８７回となるが、中心咬合位を、Ｘ、Ｙ方向±５ｍｍ×０．６の９乗＝±０．０５ｍｍ、角度±１０°×０．６の９乗＝±０．１°の精度で求めることができる。演算処理時間は約１分（ＰＣ：ＣＰＵ  Ｃｏｒｅ  II  Ｄｕｏ（登録商標）、ｃｌｏｃｋ  ２．５３ＧＨｚ、  Ｍｅｍｏｒｙ  ４ＧＢ、ＯＳ  Ｗｉｎｄｏｗｓ  ７（登録商標）６４ｂｉｔ）であった。なお、探索の際の軸方向の間隔及びピッチと軸周りの間隔及びピッチ、並びに探索の回数は一例であり、他の数値を用いてもよい。
【００６４】
また、上記探索により求められた中心咬合位を起点として、さらに上記探索を数度繰り返して行ってもよい。これにより、より正確に中心咬合位を求めることができる。図１０Ｄは、上記のようにして求めた中心咬合位で上下の歯列模型を咬合させた状態等を示す図である。図１０Ｄ（ａ）は、中心咬合位において上下の歯列模型を咬合させた状態を示す図である。図１０Ｄ（ｂ）は、中心咬合位において上下の歯列模型を咬合させた結果、咬合面に生じた接触点を示す図である。
【００６５】
（工程６Ｂ）
次に、ＦＧＶＰ曲面を生成する（Ｓ４）。具体的には、３次元画像の上顎歯列と下顎歯列とを、３次元Ｘ、Ｙ，Ｚ座標系における両者がＺ軸方向において接触しない初期位置に位置させる（歯列位置設定ステップ）。本実施形態では、前記初期位置として、中心咬合位を求めるステップ（Ｓ３）で求められた中心咬合位に対して、Ｚ軸方向において、上顎歯列と下顎歯列とが接触しない程度に離間した位置に設定される。
【００６６】
次に、初期位置を基点として、３次元画像の上顎歯列の姿勢を変化させる（姿勢変化ステップ）。
【００６７】
次に、姿勢を変化させた上顎歯列を、下顎歯列に接触するまでＺ軸方向に移動させる（移動ステップ）。
【００６８】
次に、両歯列が接触した位置における、上顎歯列の姿勢に関するデータを記憶部１０３に記憶させる（姿勢データ記憶ステップ）。上顎歯列の姿勢に関するデータとは、上顎歯列の咬合面等の表面形状を３次元座標系において表すためのデータ（３Ｄ形状データ）である。データの形式は、指定した部分の座標を求められるものであれば何でもよい。
【００６９】
これらの処理（姿勢変化ステップ、移動ステップ、及び記憶ステップ）を、前記姿勢変化ステップで上顎歯列の姿勢をそれまでとは異なる姿勢に変化させて、繰り返し実行する（繰り返しステップ）。この処理は、中心咬合位を求める処理（Ｓ３）で行われたものと同様の処理であり、例えば、上顎歯列を、初期位置からＸ軸，Ｙ軸方向のそれぞれに±３ｍｍの範囲で０．１ｍｍピッチで平行移動させ、かつＸ軸，Ｙ軸，Ｚ軸それぞれの周りに±１．２５°の範囲で０．２５°ピッチで回転させる。
【００７０】
繰り返しの実行後、ＸＹ平面内の複数の位置のそれぞれにおいて、記憶部１０３に記憶されている上顎歯列の姿勢に関する複数の３次元データがそれぞれ示すＺ軸方向の位置のデータのうち最も下顎歯列の近くの位置となる３次元データにおける３次元座標データを取得し、取得した複数の３次元座標データに基づき包絡曲面データを生成する（包絡曲面データ生成ステップ）。具体的には、上顎歯列を上述のようにＸ軸，Ｙ軸，Ｚ軸方向に所定ピッチで移動させ、およびＸ軸，Ｙ軸，Ｚ軸周りに所定ピッチで回転させた結果生じるほぼ５００万通りに及ぶすべての位置姿勢（組合せ）の３Ｄ形状データに基づいて、各Ｘ、Ｙ座標に関して、Ｚ軸方向で下顎歯列に最も近い位置に存在するデータのＺ座標を求める。このように、緻密にＦＧＶＰを求めることにより、高精度に歯冠を設計し、高精度な歯冠を作成することができる。そして、このようにして求めた各Ｚ座標を含む面（包絡曲面）をＦＧＶＰ曲面とする。図１１Ａ（ａ）は、このようにして求めたＦＧＶＰ曲面を示し、図１１Ａ（ｂ）は、このＦＧＶＰ曲面と、上顎歯列の３次元画像とを組み合わせた状態の一例を示す図である。
【００７１】
（工程７）
次に、欠損部に配置された標準歯冠の３次元画像の形状を、工程７で生成されたＦＧＶＰ曲面データに基づいて変形させる（Ｓ５）。標準歯冠データには、図１１Ｂに示すように、歯冠の形状を変形するための制御点（変形基準点）が予め設定してある。制御点は、自由に設定できるが、ＦＧＶＰ曲面と接触させたい部分に付加するのが好ましい。制御点の部分は上下の歯列が接触するように上下に変位し、制御点の周囲は、制御点部分の変化量に比例し、制御点から遠くなるほど、変化量が小さくなる。なお、ＦＧＶＰ曲面と変形後の標準歯冠との隙間の大きさを調整可能としてもよい。この場合、例えば数値パラメータ等を用いて隙間の大きさを調整することができる。隙間の大きさを調整することにより、咬合の強さを適切に調整することができる。
【００７２】
図１１Ｃ（ａ）は、標準歯冠の形状を変形させる前の歯冠形状及び断面を示し、図１１Ｃ（ｂ）は、標準歯冠の形状を変形させた後の歯冠形状及び断面を示す。図１１Ｃ（ｃ）は、標準歯冠の形状を変形させた後の歯冠の種々の断面を示す。本工程では、ＦＧＶＰ曲面と制御点との位置関係が所定の関係を満たすように、標準歯冠の形状が自動的に変形される。例えば、図１１Ｃ（ａ）に示すように制御点位置において標準歯冠表面とＦＧＶＰ曲面とが接触（交差）する場合は、図１１Ｃ（ｂ）に示すように、両者が接触しないように変形される。逆に、制御点位置において標準歯冠表面とＦＧＶＰ曲面との隙間が大きすぎる場合は、間隔が狭くなるように変形される。なお、両者間の最短距離は、０（両者が接する）から５０μｍ程度が好ましい。両者の間に小さな隙間を設けることにより、患者が咬合運動する際にインプラントに横方向の力が加わらず、インプラントの破損等を防止できるからである。なお、自動変形後、歯科医師が骨やインプラントの状態、噛み合わせの状況を把握した上で指示し、好ましい噛み合わせをシミュレーションしてもよい。変形は対合する歯が重なる部分を引き算することにより変形させることもできるが、歯の解剖学的形態を大きく損なわないように制御点では大きく、そこから遠くなるほど小さく連続的に変形させることもできる。
【００７３】
図１１Ｄ（ａ）は、標準歯冠の形状を変形させる前の歯冠形状の斜視図であり、図１１Ｄ（ｂ）は、標準歯冠の形状を変形させた後の歯冠形状の斜視図であり、図１１Ｄ（ｃ）は、標準歯冠のうち変形させた部分が分かるように色分けして示した斜視図である。
【００７４】
なお、上記各工程のシミュレーションにおいては、３Ｄ−ＣＴ像として、その画像データサイズが大きくなり過ぎないように、例えば図１２に示すような、歯列近傍領域の３Ｄ−ＣＴ像を用いてもよい。
【００７５】
なお、従来のＣＡＤ／ＣＡＭ装置でＦＧＰワックス法を用いた例としては”ＤＥＣＳＹ”（商品名）があるが、この装置は患者の口腔内で実際に採得したワックスを用いてＦＧＰを採得しており、歯冠変形においても上記制御点を設定することはできない。そのため、作製された歯冠の咬合面が平坦なものとなり、解剖学的な歯冠形状とは程遠いものとなっていた。
【００７６】
（歯冠の形成）
以上の設計工程で得られた歯冠形状に対して、インプラント上のアバットメントに装着するための凹みをＣＡＤしなければならない。具体的には、以下の工程で歯冠データからアバットメント等が挿入される部分のデータを引き算する。最終的な歯冠形状データは例えば出力部を介してＣＡＭ装置に送られ、ＣＡＭ装置で、歯冠形状データに従った歯冠が形成される。歯冠は、例えばセラミックスやレジンからなり、切削法やラピッドプロトタイピング法を用いて作製される。
【００７７】
次に、工程８、９では、インプラントの位置決めに用いられるサージカルガイドの設計を行う。インプラントは、上述の工程で設計した歯冠を患者に固定するために用いられる。なお、サージカルガイドの設計工程（工程８、９）は、歯冠設計工程（工程５〜７）とは別に、これらに先立って行っても良い。
【００７８】
工程８：図１３〜図１５に示すように、コンピュータ上で、インプラント手術支援用のサージカルガイドを設計する。
【００７９】
具体的には、まず、ディスプレイ等に映された患者の３Ｄ−ＣＴ像の、下顎の形状や神経や動脈、静脈が通る下顎管の位置を見ながら、下顎管を避けるようにインプラントを固定する位置を決定する。図１３は、下顎管を避けるように下顎（半透明に表示）に固定されたインプラントと、インプラント上にアバットメントを用いて固定された歯冠の配置のシミュレーション像である。
【００８０】
次に、図１４に示すような、インプラントを下顎に固定するために下顎に孔を形成するのに用いる、サージカルガイドを設計する。図１５は、骨像に、サージカルガイドを重ねて表示したものである。サージカルガイドの設計には、例えば、Free Formソフトウエア（商品名）とハプティックスデバイス（例えば、米国 SensAble Technologies社製、商品名：ＰＨＡＮＴｏＭ）（図１６）を用いる。
【００８１】
工程９：コンピュータ上で設計したサージカルガイドの形状データ（例えば図１７に表示）を、出力部を介してＣＡＭ装置（図１８）に出力し、ＣＡＭ装置で実際にサージカルガイドを形成する。
【００８２】
図１９は、チタン製ドリルガイド（ＣＴプランニングチューブ）付きのサージカルガイドの全体写真である。また、図２０は、サージカルガイドを実際に下顎の上（右奥歯の位置）に装着して骨模型のドリリングを行っている状態の写真である。サージカルガイドは例えばアクリルからなり、インプラントが形成される方向に沿って孔が設けられている。孔の壁面には、チタン等のドリルガイドが設けられることが好ましい。
【００８３】
最後に、工程１０〜１１では、患者の歯列欠損部に、インプラント等を用いて歯冠を固定する。
【００８４】
工程１０：図２１に示すように、患者の下顎にサージカルガイドを被せ、サージカルガイドの孔にドリルを挿入して下顎に孔を形成する。続いて、サージカルガイドを取り外した後に、形成した下顎の孔にインプラントを挿入して固定する。図２２は、下顎にインプラントおよびアバットメントを固定した状態の口腔内の写真である。これにより、コンピュータ上のシミュレーションで決定した位置にインプラントを正確に固定することが可能となる。
【００８５】
工程１１：図２３は、下顎に固定されたインプラント上に、アバットメントを介して歯冠が固定された状態の概略図である。アバットメントは、規格品を用いることが好ましいが、場合によっては、オリジナル品の設計を行っても良い。オリジナル品を用いることにより、インプラントの固定方向（長手方向）から傾斜した角度で歯冠を固定することが可能となる。オリジナル形状のアバットメントを作製する場合も、ＣＡＭ装置にアバットメントの形状データを転送し、作製することができる。また、アバットメントを用いずにインプラント上に直接歯冠を固定することも可能である。
【００８６】
図２４は、埋入したインプラント上にＦＧＶＰテクニックを用いて作製した歯冠を患者の口腔内に固定した状態である。かかる歯冠は、患者の咬合運動を考慮して設計されているため、インプラント治療で患者の口腔内に固定するだけで、咬合調整は殆ど不要である。このためインプラント治療における患者の負担が非常に軽減できる。
【００８７】
例えば、従来のインプラント治療では、インプラントを固定し、その上に歯冠を固定し、更に、患者の噛み合わせに応じて咬合調整（歯冠の部分的な削除等）を行う必要があり、多数歯埋入のケースでは手術と仮歯冠装着が５〜６時間に及ぶことも普通にあり、特に高齢の患者にとっては身体的な負担が過大であった。
【００８８】
これに対して、本実施の形態にかかる方法では、歯冠を固定した後の咬合調整が殆ど不要であるため、仮歯冠装着の要する時間を大幅に短縮でき、患者の負担を軽減することが可能となる。
【００８９】
ここでは、患者のＣＴ像を基に３Ｄ−ＣＴ像を作製する場合について説明したが、核磁気共鳴（ＭＲＩ）画像を用いても同様に行うことができる。
【００９０】
また、本発明の実施の形態では、主に上顎部について説明したが、下顎部についても同様にして歯冠を設計することができる。
【００９１】
（まとめ）
本実施形態では、歯冠設計方法を提供する。
本実施形態の歯冠設計方法は、
少なくとも記憶手段と演算手段を含むコンピュータにより歯牙欠損部に配置する歯冠を設計する方法であって、
前記記憶手段が、
患者の上顎歯列及び下顎歯列の３次元画像を取得する取得ステップ（Ｓ１）と、
前記演算手段が、
前記３次元画像の上顎歯列または下顎歯列の歯牙欠損部に、歯冠の３次元画像を配置する歯冠像配置ステップ（Ｓ２）と、
前記３次元画像の上顎歯列と下顎歯列とを、３次元Ｘ、Ｙ，Ｚ座標系における両者がＺ軸方向において接触しない初期位置に位置させる歯列位置設定ステップ（Ｓ４）と、
前記初期位置を基点として、前記３次元画像の上顎歯列と下顎歯列との一方の歯列の姿勢を変化させる姿勢変化ステップ（Ｓ４）と、
姿勢を変化させた前記一方の歯列を、他方の歯列に接触するまでＺ軸方向に移動させる移動ステップ（Ｓ４）と、
両歯列が接触した位置における、前記一方の歯列の姿勢に関する３次元データを前記記憶手段に記憶させる姿勢データ記憶ステップ（Ｓ４）と、
前記姿勢変化ステップ、前記移動ステップ、及び前記記憶ステップを、前記姿勢変化ステップで前記一方の歯列の姿勢をそれまでとは異なる姿勢に変化させて、繰り返し実行する繰り返しステップ（Ｓ４）と、
前記繰り返しステップの実行後、ＸＹ平面内の複数の位置のそれぞれにおいて、前記記憶部に記憶されている複数の前記一方の歯列の姿勢に関する３次元データがそれぞれ示すＺ軸方向の位置のうち最も前記他方の歯列の近くの位置となる３次元データにおける３次元座標データを取得し、取得した複数の３次元座標データに基づき包絡曲面データを生成する包絡曲面データ生成ステップ（Ｓ４）と、
生成された前記包絡曲面データに基づいて前記歯冠の３次元画像を変形させる変形ステップ（Ｓ５）と、を含む。
【００９２】
また、本実施形態の歯冠設計方法は、
さらに、中心咬合位を求めるステップ（Ｓ３）を含み、
前記中心咬合位を求めるステップ（Ｓ３）は、
前記３次元画像の上顎歯列と下顎歯列とを、３次元Ｘ、Ｙ，Ｚ座標系における両者がＺ軸方向において接触しない初期位置に位置させる歯列位置設定ステップと、
前記初期位置を基点として、前記３次元画像の上顎歯列と下顎歯列との一方の歯列の姿勢を変化させる姿勢変化ステップと、
姿勢を変化させた前記一方の歯列を、他方の歯列に接触するまでＺ軸方向に移動させる移動ステップと、
前記一方の歯列の咬合面に複数の評価点を設定する評価点設定ステップと、
接触した状態における前記一方の歯列の咬合面と他方の歯列の咬合面との間のＺ軸方向の距離を前記複数の評価点位置において求め、さらにその総和を求める総和算出ステップと、
求められたＺ軸方向の距離の総和を前記記憶手段に記憶させる総和記憶ステップと、
前記姿勢変化ステップ、前記移動ステップ、前記総和算出ステップ及び前記総和記憶ステップを、前記姿勢変化ステップで前記一方の歯列の姿勢をそれまでとは異なる姿勢に変化させて、繰り返し実行する繰り返しステップと、
前記繰り返しステップの実行後、前記記憶手段に記憶されている複数のＺ軸方向の距離の総和に基づいて前記中心咬合位を決定する中心咬合位決定ステップと、を含み、
前記歯列位置設定ステップは、
前記中心咬合位探索ステップで求められた中心咬合位に対して、Ｚ軸方向において、上顎歯列と下顎歯列とが接触しない離間した位置を前記初期位置として用いる。
【００９３】
また、本実施形態の歯冠設計方法は、
前記姿勢変化ステップは、
前記３次元画像の一方の歯列を、Ｘ軸、Ｙ軸、Ｚ軸の少なくとも一つの軸の方向に第１所定距離範囲内で第２所定距離ピッチで平行移動させ、及び／または、Ｘ軸、Ｙ軸、Ｚ軸の少なくとも一つの軸のまわりで第１所定角度範囲内で第２所定角度ピッチで回転させる。
【００９４】
また、本実施形態の歯冠設計方法は、
さらに、前記歯冠の３次元画像に、歯冠形状の変化を可能とする制御点を設定する制御点設定ステップを含み、
前記変形ステップは、
前記包絡曲面と前記設定された制御点との位置関係が所定の条件を満たすように、前記歯冠の３次元画像を変形させる。
【００９５】
また、本実施形態の歯冠設計方法は、
さらに、前記包絡曲面と変形後の歯冠との隙間の大きさを調整するステップを含む。
【００９６】
また、本実施形態の歯冠設計方法は、
前記記憶手段に予め記憶された、複数の上下歯列の標準歯冠形状のデータから選択された３次元歯冠像を、前記３次元画像の歯牙欠損部の所定の位置に配置するステップを含む。
【００９７】
また、本実施形態の歯冠設計方法は、
前記上顎歯列及び下顎歯列の３次元画像は、患者の口腔領域の３次元口腔領域像の一部が前記患者の歯列模型の３次元歯列模型像で置き換えられた像である。
【００９８】
上記取得ステップは、ＣＴもしくは光計測した患者の上下顎関節を含む顎骨および上下歯列３次元形状画像を取得して行うことも可能である。
【００９９】
また、本実施形態の歯冠設計方法は、
前記コンピュータは、さらに、入力手段を含み、
前記取得ステップは、
マーカーを有する患者の口腔領域の３次元口腔領域像を、前記入力手段を介してコンピュータに入力するステップと、
マーカーを有する患者の歯列模型の３次元歯列模型像を、前記入力手段を介してコンピュータに入力するステップと、
前記３次元口腔領域像のマーカーと前記３次元歯列模型像のマーカーとを一致させた状態で、３次元口腔領域像の一部を前記３次元歯列模型像で置き換えて前記上顎歯列及び下顎歯列の３次元画像を作製するステップと、
前記上顎歯列及び下顎歯列の３次元画像を記憶するステップと、を含む。
【０１００】
本実施形態では、さらに、歯冠設計用プログラムを提供する。
歯冠設計用プログラムは、
コンピュータを、前記歯冠設計方法を実行する手段として機能させる。
【０１０１】
本実施形態では、さらに、歯冠作製方法を提供する。
歯冠作製方法は、
前歯冠設計方法により得られた歯冠の３次元画像を用いてＣＡＭ装置で歯冠を作製するステップ、を含む。
【０１０２】
本実施形態では、さらに、歯冠設計装置を提供する。
本実施形態の歯冠設計装置は、
少なくとも記憶手段と演算手段を含み、歯牙欠損部に配置する歯冠を設計する装置であって、
前記記憶手段が、
患者の上顎歯列及び下顎歯列の３次元画像を取得し、
前記演算手段が、
前記３次元画像の上顎歯列または下顎歯列の歯牙欠損部に、歯冠の３次元画像を配置する歯冠像配置手段と、
前記３次元画像の上顎歯列と下顎歯列とを、３次元Ｘ、Ｙ，Ｚ座標系における両者がＺ軸方向において接触しない初期位置に位置させる歯列位置設定手段と、
前記初期位置を基点として、前記３次元画像の上顎歯列と下顎歯列との一方の歯列の姿勢を変化させる姿勢変化手段と、
姿勢を変化させた前記一方の歯列を、他方の歯列に接触するまでＺ軸方向に移動させる移動手段と、
両歯列が接触した位置における、前記一方の歯列の姿勢に関する３次元データを前記記憶手段に記憶させる姿勢データ記憶手段と、
前記姿勢変化手段、前記移動手段、及び前記記憶手段による処理を、前記姿勢変化手段で前記一方の歯列の姿勢をそれまでとは異なる姿勢に変化させて、繰り返し実行させる繰り返し手段と、
前記繰り返し手段による処理の実行後、ＸＹ平面内の複数の位置のそれぞれにおいて、前記記憶手段に記憶されている複数の前記一方の歯列の姿勢に関する３次元データがそれぞれ示すＺ軸方向の位置のうち最も前記他方の歯列の近くの位置となる３次元データにおける３次元座標データを取得し、取得した複数の３次元座標データに基づき包絡曲面データを生成する包絡曲面データ生成手段と、
生成された前記包絡曲面データに基づいて前記歯冠の３次元画像を変形させる変形手段と、を含む。
【０１０３】
本実施形態では、さらに、歯冠作製装置を提供する。
本実施形態の歯冠作製装置は、
前記歯冠設計装置と、当該歯冠設計装置により得られた歯冠の３次元画像を用いて、歯冠を作製するＣＡＭ装置とを、含む。
【０１０４】
本実施形態によれば、患者固有のデータを元に、ＦＧＶＰを求め、このＦＧＶＰに基づいて歯冠設計を行うので、患者の顎運動、顎形状等に応じた歯冠の作製が可能となる。これにより、インプラント上に装着した歯冠の咬合調整が殆ど不要となり、インプラント治療に要する時間が短縮でき、患者の苦痛と経済的負担を大幅に軽減できる。
【０１０５】
例えば、歯科診療所におけるインプラント手術は、従来、準備時間も含め１日（８時間）で１件しかできなかったが、本発明を採用することにより、２件から３件できるようになり、歯科診療所の稼働効率、経営効率の改善にもつながる。
【０１０６】
特に、本実施形態によれば、姿勢変化ステップ、移動ステップ、及び記憶ステップを、姿勢変化ステップで一方の歯列の姿勢をそれまでとは異なる姿勢に変化させて、繰り返し実行し、繰り返しの実行後、ＸＹ平面内の複数の位置のそれぞれにおいて、前記記憶手段に記憶されている複数の前記一方の歯列の姿勢に関する３次元データがそれぞれ示すＺ軸方向の位置のうち最も前記他方の歯列の近くの位置となる３次元データにおける３次元座標データを取得し、取得した複数の３次元座標データに基づき包絡曲面データを生成する。
【０１０７】
これにより、３次元画像の上顎歯列または下顎歯列に滑走運動等の複雑な動きを行わせる必要がなく、歯冠の設計を容易化することができる。
【０１０８】
なお、本実施形態では、一例として、上顎歯列の修復例を上げ、上顎の３次元画像を固定した状態で上下顎歯列の３次元画像を移動させることにより、中心咬合位探索および下顎歯列のＦＧＶＰ曲面の生成を行う場合について説明したが、本発明は、下顎歯列の修復を対象とし、下顎歯列の３次元画像を固定した状態で上顎歯列の３次元画像を移動させることにより、中心咬合位探索および下顎歯列のＦＧＶＰ曲面の生成を行うこともできる。
【０１０９】
また、中心咬合位探索やＦＧＶＰ曲面を生成する際、さらに、ＣＴ像から得た顎関節の動き範囲等を考慮してもよい。これにより、中心咬合位探索の範囲を絞り込んだり、より一層精度よくＦＧＶＰ曲面を求めることができる。
【０１１０】
またこの方法は通常の支台歯形成した歯冠の製作にも応用することができる。
【産業上の利用可能性】
【０１１１】
本発明は、インプラント治療等に用に用いる歯冠設計方法、歯冠設計用プログラム、歯冠設計装置、歯冠作製方法、および歯冠作製装置として広く利用できる。
【符号の説明】
【０１１２】
１００  コンピュータシステム
１０１  入力部
１０２  出力部
１０３  記憶部
１０４  表示部
１０５  演算部
２００  ＣＡＭ装置
【図６Ａ】
0005975731.tif 000002
【図６Ｂ】
0005975731.tif 000003
【図１Ａ】
0005975731.tif 000004
【図１Ｂ】
0005975731.tif 000005
【図２】
0005975731.tif 000006
【図３】
0005975731.tif 000007
【図４Ａ】
0005975731.tif 000008
【図４Ｂ】
0005975731.tif 000009
【図５Ａ】
0005975731.tif 000010
【図５Ｂ】
0005975731.tif 000011
【図５Ｃ】
0005975731.tif 000012
【図７Ａ】
0005975731.tif 000013
【図７Ｂ】
0005975731.tif 000014
【図７Ｃ】
0005975731.tif 000015
【図７Ｄ】
0005975731.tif 000016
【図８Ａ】
0005975731.tif 000017
【図８Ｂ】
0005975731.tif 000018
【図８Ｃ】
0005975731.tif 000019
【図９】
0005975731.tif 000020
【図１０Ａ】
0005975731.tif 000021
【図１０Ｂ】
0005975731.tif 000022
【図１０Ｃ】
0005975731.tif 000023
【図１０Ｄ】
0005975731.tif 000024
【図１１Ａ】
0005975731.tif 000025
【図１１Ｂ】
0005975731.tif 000026
【図１１Ｃ】
0005975731.tif 000027
【図１１Ｄ】
0005975731.tif 000028
【図１２】
0005975731.tif 000029
【図１３】
0005975731.tif 000030
【図１４】
0005975731.tif 000031
【図１５】
0005975731.tif 000032
【図１６】
0005975731.tif 000033
【図１７】
0005975731.tif 000034
【図１８】
0005975731.tif 000035
【図１９】
0005975731.tif 000036
【図２０】
0005975731.tif 000037
【図２１】
0005975731.tif 000038
【図２２】
0005975731.tif 000039
【図２３】
0005975731.tif 000040
【図２４】
0005975731.tif 000041
【図２５】
0005975731.tif 000042